(57)【要約】【課題】本発明は、医療スタッフなどがナースコールシステムを使って一斉放送を行なうとき、一斉放送の対象となる患者のグループをより適切かつ迅速に都度選択できるナースコールシステムを提供することを課題とする。【解決手段】本発明は、グループモード指定手段において、患者の属性項目の中の１つをグループモード項目として指定するとともに、放送対象指定手段において、選択されたグループモードの項目を構成するグループの中から放送対象となるグループを指定することにより、当該グループに属する患者に対しグループ一斉放送ができるようにしたことを特徴とする。【選択図】図２
2007096558.tif 000002
【特許請求の範囲】
【請求項１】
病室内のベッドまたはその近傍に設置され複数のナースコール子機と、前記複数のナースコール子機に対応する患者データを記憶するとともに、前記複数のナースコール子機の中から特定の子機を指定して通話できるナースコール親機とを有し、前記ナースコール親機には、前記複数のナースコール子機を一括選局して放送するための全一斉放送手段と、前記ナースコール子機をグループ分けし、指定したグループに属する前記ナースコール子機を全選局して一斉放送を行うグループ一斉放送手段とを設けたナースコールシステムにおいて、
前記グループ一斉放送手段は、前記患者データの属性項目の中から特定の項目を選択するグループモード指定手段と、前記グループモード指定手段で選択された項目についてこれをその内容で分類したグループの中から特定のグループを選択する放送対象指定手段とからなり、前記グループモード指定手段で指定された特定のグループモードにおいて、放送対象指定手段で指定された特定のグループに属する全患者に対しグループ一斉放送ができるようにしたことを特徴とするナースコールシステム。
【発明の詳細な説明】
【技術分野】
【０００１】
この発明は、病院や介護施設で、看護師等の医療スタッフと病室にいる患者との間で相互に呼出、通話ができるナースコールシステムに係り、特に、医療スタッフが特定の患者グループを指定して一斉放送ができるナースコールシステムに関する。
【背景技術】
【０００２】
ナースコールシステムは、病院の場合には、一般的に、病棟毎のナースセンターに設置されるナースコール親機と、各病室の出入り口に設置される複数の個別廊下灯と、病室内の患者毎のベッドサイドに設置される複数のナースコール子機とで構成され、医療スタッフから患者に対する連絡事項があるときは、ナースコール親機から一斉放送手段を使ってナースコール子機に連絡情報を送信する。
【０００３】
連絡手段として一般的には、音声情報が用いられ、ナースコール子機のスピーカから外部に音声として出力されるが、本発明は、必ずしも、音声情報に限定されるものではなく、ナースコール子機が文字や絵図を表示できる場合には、文字や絵図を使って、連絡情報を伝達することもできる。
【０００４】
従来のナースコール親機には、一斉放送手段として、従来から、２種類の放送手段を備えている場合が多い。１つは、全病室または全患者を放送対象とする全一斉放送手段であり、他の１つは、放送したい患者のグループを選択し、選択したグループの患者のみを対象とするグループ一斉放送手段であり、医療スタッフは、一斉放送の対象を、患者全員か特定の患者さんだけかを判断し、その結果におうじて全一斉放送またはグループ一斉放送を選択する。
【０００５】
特許文献１には、（全）一斉放送とルーム一斉放送を選択できることが記載されている。
【０００６】
特許文献２には、ナースコール親機で予め設定したグループのなかから任意のグループを選択して、一斉放送ができることが記載されている。この特許文献２記載の発明によれば、患者を予め何らかのグループ分類基準（明細書には、病棟別、病室アダプター別、子機別が例示されている）に従って分類しておく必要がある。すなわち、この発明では、例えば、仮に病棟別に患者がグループ分けされている場合には、病棟別に放送できるというものである。
【０００７】
この場合、病棟別のグループから病室アダプター別のグループ分けに変更することはできない。すなわち、グループ分類基準を都度変更することはできない。
【特許文献１】・・・・特開２００２−２３２５８０号公報
【特許文献２】・・・・特開平１１−２９０３９９号公報
【発明の開示】
【発明が解決しようとする課題】
【０００８】
公知例では、上記のように、グループ放送の分類種別は特定内容に限定される。すなわち、特許文献１の発明によれば、患者をルーム別にしか分類できない。
【０００９】
また、特許文献２の発明によれば、患者グループを病棟別、病室アダプター別に分類できるが、いったん分類方法を選択すると、これをそのあと変更することはできない。すなわち、医療スタッフがグループ一斉放送を開始するとき、患者のグルーピングの基準そのものを変更してグループ一斉放送ができるわけではない。
【００１０】
本発明は、医療スタッフなどがナースコールシステムを使って一斉放送を行なうとき、上記のような従来のナースコールシステムの持つ問題点を解決し、一斉放送の対象となる患者のグループをより適切かつ迅速に都度選択できるナースコールシステムを提供することを課題とする。
【００１１】
また、本発明は、ナースコール親機の記憶装置に記憶されている患者データを参照して、患者のグループ分けを自動的に行なうナースコールシステムを提供することを課題とする。
【課題を解決するための手段】
【００１２】
本発明は、グループモード指定手段において、患者の属性項目の中の１つをグループモード項目として指定するとともに、放送対象指定手段において、選択されたグループモードの項目を構成するグループの中から放送対象となるグループを指定することにより、当該グループに属する患者に対しグループ一斉放送ができるようにしたことを特徴とする。
【発明の効果】
【００１３】
本発明によれば、患者に対し一斉放送する場合、一斉放送する内容に応じて、放送すべき対象患者をより適切に選択することができる。たとえば、特定の看護チームが担当する患者さんだけとか、男性の患者さんだけとか、あるいは、特定の診療科に属する患者さんだけとか、一斉放送の内容に応じて臨機応変に都度、グループ一斉放送対象の患者さんを選択して放送することができるる。
【００１４】
しかも、各患者のグループ更新は、患者データを参照して自動更新が実施されるので手動による更新作業は不要である。
【発明を実施するための最良の形態】
【００１５】
以下添付図面を参照して本発明の好適な実施例を説明する。
【００１６】
図１に示す本発明のナースコールシステムは、ナースステーションに設置されるナースコール親機1と、各病室の出入り口に設置される集合廊下灯２（共用トイレの出入り口等に設置されるアダプタを含む）と、患者のベッドサイドに設置されるナースコール子機３とを相互に接続して構成されており、このような全体構成自体はナースコールシステムとしては、一般的かつ周知の構成である。
【００１７】
なお、ナースコール子機３において、４はスピーカ、５はマイク、６は呼出用の握りボタン、７は復旧ボタンである。
【００１８】
また、ナースコール親機１は、図示の例では、通話用の送受器８、複数の選局ユニット９からなる選局部１０、タッチパネル表示部１１、複数の操作ボタンからなる操作スイッチ部１２等を備えている。
【００１９】
集合廊下灯２において、１３は室番表示部、１４は代表灯、１５は復旧ボタン、１６は個別表示灯、１７は氏名表示部である。
【００２０】
なお、ナースコール親機１および集合廊下灯２は、実施例では、選局ユニット９ないし氏名表示部１７を多数並べて構成する多回線型の構造であるが、選局ユニットなども含めて操作機能部全体を液晶化することも可能であり、そうすれば、より小型、コンパクト化が可能となる。
【００２１】
図２は、本発明の１実施例を示すナースコール親機の正面図であり、壁掛型あるいは卓上型として構成することができる。
ナースコール親機１の中央部には、方形のタッチパネル表示部１１が設けられ、その下方には、全一斉ボタン１２ａ、グループ一斉ボタン１２ｂを含むボタン群からなる操作スイッチ部１２が設けられている。
【００２２】
この操作スイッチ部１２を構成する各ボタンとしては、例えば、交互通話接続時に使用する接続ボタン、通話、放送終了時に使用するリセットボタン、呼出音量、受話音量、個別音量を調整するときに使用する音量ボタン、脱落呼出を保留するときに使用する呼出保留ボタン、看護チーム設定時に使用するチームボタンなどが考えられる。
【００２３】
なお、操作スイッチ部１２の各機能ボタンもタッチパネル表示部１１に移動し、ソフトボタンとして構成することができるが、図示のようなハードボタン方式の方がボタン操作を簡便にできるという利点がある。
【００２４】
次に、操作スイッチ部１２のいずれかのボタンを押すと、そのボタンに対応したメニュー画面がタッチパネル表示部１１に表示される。
【００２５】
図示の例は、選局一斉ボタン１２ｂを押して、タッチパネル表示部１１に選局一斉画面を表示させるとともに、グループモードの中ので「看護チーム」、放送対象の中で「Ｂチーム」を選択した画面の１例を示したものであり、選択した項目欄が反転表示されることで選択状態が確認できるようになっている。
【００２６】
なお、グループモードで、「指定病室」を選んだ場合は、放送対象として全病室番号が表示される病室番号が羅列表示されるので、その中から放送したい病室番号を選択することができる。なお、「指定病室」のモードで病室番号を選択する方法としては、前述とは異なり、タッチパネル表示部１１の画面内での選択操作によらず、選局部１０の中の必要な選局ボタンを複数直接押して選択することもできる。
【００２７】
なお、選局部１０を構成する各選局ユニット９は、実施例では、病室ベッド番号表示部９ａ、選局ボタン９ｂ、回転式の救護区分表示ＳＷ９ｃ、氏名表示部９ｄで構成されている。    
【００２８】
また、選局ボタン９ｂは、発光素子を内臓した透明カバーを有し、ナースコール子機からの呼出状態では発光素子が点滅し呼出を外部に報知できるようになっている。また、ナースコール親機から特定の患者を呼出すために選局ボタン９ｂを押したときは、発光素子の点灯で選局状態を確認できるようになっている。
【００２９】
図３は本発明の１実施例におけるナースコール親機１のブロック図である。
図において１８は、ナースコール親機１の全体動作を制御する中央制御部であり、通常は、ＣＰＵを含んで構成される。中央制御部１８は子機インターフェース１９を介して、ナースコール子機（集合廊下灯を含む）へ接続されている。
【００３０】
タッチパネル表示部１１は、ＬＣＤ制御部２０、タッチパネル制御部２１を介して中央制御部１８に接続されている。中央制御部１８には、さらに、ナースコール子機から呼出を受けたとき、呼出音を鳴らして外部に報知するための呼出音制御部２２、ナースコール子機とナースコール親機との間の通話状態制御する通話制御部２３、患者データ、医療スタッフデータなどを記憶するデータベース２４などが接続されている。
また前述した選局部１０、操作スイッチ１２もそれぞれ中央制御部１８に接続されている。
【００３１】
２５は院内ＬＡＮインターフェースデータであり、必要に応じて、オーダリングシステムや看護支援システムが所有する患者データベースとの間で相互に患者データを送受信できるように構成されている。
【００３２】
図３を参照して基本のナースコール動作を説明する。
まず、ナースコール子機から呼出があると、中央制御部１８は子機インターフェース１９を介して呼出信号を受信し、選局部１０において、呼出したナースコール子機に該当する回線の選局ユニット９の発光素子を点滅させる。同時に、呼出音制御部２２を制御して呼出音を鳴動させる。
【００３３】
また、呼出したナースコール子機３の操作者である患者の情報をデータベース２４を検索して抽出する。抽出データをもとに、ＬＣＤ制御部２０、タッチパネル制御部２１を介して、タッチパネル表示部２０に呼出した患者の情報を表示させる。
そこで、ナースコール親機１の送受器８を取上げると、通話制御部２３が作動し、ナースコール親機１とナースコール子機３との間で通話ができる。
【００３４】
図４は本発明のナースコールシステムにおける患者データの1例である。
患者データとして、患者ごとに、識別ＩＤ、患者名、病棟、病室番号、ベッド番号、入院日、退院日、年齢、性別、生年月日、血液型、疾病名、救護区分、看護度、担当医師、受持看護師、看護チームが記憶されていることがわかる。
【００３５】
この患者データの入力、更新、削除は、本発明のナースコールシステム内で実施できるように構成することもできるが、院内ＬＡＮを介して、外部の患者データベースサーバにアクセスし、患者データの自動入力、更新、削除できるように構成することもできる。
【００３６】
次に、図２および図４を用いて、グループ一斉放送の動作を説明する。
グループ一斉放送を開始するときは、まず、グループ一斉ボタン１２ｂを押す。そうすると、タッチパネル表示部１１にグループ一斉放送画面が表示され、グループモードの指定を促す画面が表示される。図２の例は、グループモードとして「看護チーム」を選択した状態を示し、「看護チーム」の表示が反転表示されることで選択状態を確認できる。
図２は、引き続いて放送対象として「Ｂチーム」を選択した状態を示し、Ｂチームが反転表示されていることで選択状態を確認できる。
【００３７】
このように、グループモードとともに放送対象が指定されると、中央制御部１８の作用で、データベース２４に記憶されている患者データの検索が実行される。すなわち、患者データの属性項目の１つである「看護チーム」のデータを検索し、看護チームが「Ｂチーム」に一致する患者を抽出する。ついで、抽出した患者さんに対応して選局部１０がセットされ、放送可能な状態となる。
このようにして、Ｂチームで看護する患者さんに限って、グループ一斉放送をすることができる。
【００３８】
グループモードとして、他のモード項目を選択した場合にも、看護チームモードを選択した場合と同様、必要な患者さんに限って一斉放送をすることができる。
【００３９】
なお、図２の実施例では、グループモードのモード項目として、患者の属性項目の中から、看護チーム、指定病室、性別、疾病の属性項目を選択した例を示してあるが、本発明はこれに限定されるものではない。すなわち、本発明によれば、グループモードのモード項目としては、患者の属性項目の中から、２つの属性項目に限定することもでき、また、４つの属性項目を超えて指定することもできる。
【図面の簡単な説明】
【００４０】
【図１】本発明の１実施例におけるナースコールシステムのシステム図。
【図２】本発明の１実施例におけるナースコール親機の外観正面図。
【図３】本発明の１実施例におけるナースコール親機のブロック図。
【図４】本発明の１実施例における患者データのデータ構成図。
【符号の説明】
【００４１】
１・・・ナースコール親機
２・・・集合廊下灯
３・・・ナースコール子機
８・・・送受器
９・・・選局ユニット
１０・・・選局部
１１・・・タッチパネル表示部
１２・・・操作スイッチ部
１２ａ・・・全一斉ボタン
１２ｂ・・・グループ一斉ボタン
１８・・・中央制御部
１９・・・子機インターフェース
２０・・・ＬＣＤ制御部
２１・・・タッチパネル制御部
２４・・・データベース
２５・・・院内ＬＡＮインターフェース
【図４】
2007096558.tif 000003
【図１】
2007096558.tif 000004
【図２】
2007096558.tif 000005
【図３】
2007096558.tif 000006